(57)【特許請求の範囲】
【請求項１】
表示装置と複数の入賞口とアウト口とを有し且つ前記表示装置がほぼ中央にその後方を突出させるように配置される遊技盤と、遊技動作を制御する遊技制御回路基板と、前記遊技盤の裏面を覆うように開閉自在に設けられて前記入賞口への入賞玉の入賞に基づいて所定個数の賞球を払い出すための機構を有する機構板と、を備えた弾球遊技機において、
前記遊技盤の裏面には、前記複数の入賞口に入賞した入賞玉を誘導する入賞玉誘導路が内部に形成され、該入賞玉誘導路を視認できるように透過性合成樹脂で構成された第１カバー体と、前記入賞玉誘導路の下流部分を構成すると共に前記アウト口の裏面側を覆ってアウト玉を下方に向けて流下勢を弱めながら誘導するための蛇行用突起が形成されるアウト玉通路が形成される第２カバー体と、からなる入賞玉集合カバー体を設け、
前記入賞玉集合カバー体には、前記表示装置の後方突出部よりも下方で当該後方突出部に積層しない位置に前記遊技制御回路基板を収納する遊技制御基板ボックスを前記遊技制御回路基板を収納した状態で回動自在に軸支する基板ボックス取付部材と、該基板ボックス取付部材に軸支された前記遊技制御基板ボックスを閉止位置に係止保持する係止片と、を設け、
前記機構板は、開口窓が形成され、該開口窓に沿った上部から側部を通って下部に前記所定個数の賞球を払い出すための機構が配置され、
前記基板ボックス取付部材及び係止片に前記遊技制御基板ボックスを取り付けた状態で、当該遊技制御基板ボックスが前記入賞玉集合カバー体の前記入賞玉誘導路を覆うようにすると共に前記機構板の開口窓から後方に貫通するように臨ませ、
前記第２カバー体は、その前面に突設される位置決め突起によって前記遊技盤の裏面に位置決めして取り付けられ、前記複数の入賞口への入賞玉の入賞は、停電時のバックアップ機能を有する記憶手段に記憶されることを特徴とする弾球遊技機。
【請求項２】
前記基板ボックス取付部材に軸支された前記遊技制御基板ボックスを開放位置に保持するために当該遊技制御基板ボックスと係止するボックス係止部材を設けたことを特徴とする請求項１記載の弾球遊技機。
【請求項３】
前記基板ボックス取付部材は、前記遊技制御基板ボックスの側壁外側に突設される楕円形状の回動突起の長径に合致する回動軸穴の前方に前記回動突起の短径と同じ長さの挿入切欠部が形成されたものであることを特徴とする請求項１又は請求項２記載の弾球遊技機。
【発明の詳細な説明】
【０００１】
【発明の属する技術分野】
本発明は、表示装置と複数の入賞口とアウト口とを有し且つ前記表示装置がほぼ中央にその後方を突出させるように配置される遊技盤と、遊技動作を制御する遊技制御回路基板と、前記遊技盤の裏面を覆うように開閉自在に設けられて前記入賞口への入賞玉の入賞に基づいて所定個数の賞球を払い出すための機構を有する機構板と、を備えた弾球遊技機に関するものである。
【０００２】
【従来の技術】
従来、弾球遊技機の遊技盤に設けられる遊技装置の動作を制御する遊技制御回路基板は、遊技制御基板ボックスに収納されて機構板又は遊技盤の裏面に固着される入賞玉集合カバー体に取り付けられていた。しかして、遊技制御基板ボックスを機構板に取り付ける場合には、複雑な機構を有する機構板の裏面を遊技制御基板ボックスで占有してしまうので、他の部品を取り付ける余地が少なくなるという欠点があり、また、機構板の開閉動作時に遊技制御基板ボックスに接続される配線を脱着しなければならず面倒であるため、近年、遊技制御基板ボックスを入賞玉集合カバー体に取り付けるものも提供されつつある。
【０００３】
【発明が解決しようとする課題】
しかしながら、遊技制御基板ボックスを入賞玉集合カバー体に取り付けるものは、入賞玉集合カバー体を遊技制御基板ボックスで被覆した状態で止着されるため、例えば、入賞玉集合カバー体の内部で玉詰まり現象が生じた場合等のトラブルが発生したときには、その状況が分からず、迅速な処置を施すことができないという欠点があった。本発明は、上記した事情に鑑みなされたもので、その目的とするところは、機構板の裏面におけるスペースを有効に利用することができると共に入賞玉集合カバー体内の状況を迅速に知ることができる遊技制御基板ボックスの取付構造を有する弾球遊技機を提供することにある。
【０００４】
【課題を解決するための手段】
上記した目的を達成するために、本発明が採用した具体的な解決手段を図面を参照して説明する。図１、図２、図５、図６及び図１５に示すように、表示装置としての可変表示装置４１と複数の入賞口４２〜４５とアウト口４６とを有し且つ前記可変表示装置４１がほぼ中央にその後方を突出させるように配置される遊技盤４０と、遊技動作を制御する遊技制御回路基板２００と、前記遊技盤４０の裏面を覆うように開閉自在に設けられて前記入賞口４２〜４５への入賞玉の入賞に基づいて所定個数の賞球を払い出すための機構を有する機構板１２０と、を備えた弾球遊技機において、前記遊技盤４０の裏面には、前記複数の入賞口４２〜４５に入賞した入賞玉を誘導する入賞玉誘導路７１，７３が内部に形成され、該入賞玉誘導路７１，７３を視認できるように透過性合成樹脂で構成された第１カバー体６０と、前記入賞玉誘導路７１，７３の下流部分を構成すると共に前記アウト口４６の裏面側を覆ってアウト玉を下方に向けて流下勢を弱めながら誘導するための蛇行用突起１０９が形成されるアウト玉通路８２が形成される第２カバー体６１と、からなる入賞玉集合カバー体６０，６１を設け、を設け、該入賞玉集合カバー体６０、６１には、前記可変表示装置４１の後方突出部よりも下方で当該後方突出部に積層しない位置に前記遊技制御回路基板２００を収納する遊技制御基板ボックス９０を前記遊技制御回路基板２００を収納した状態で回動自在に軸支する基板ボックス取付部材６５と、該基板ボックス取付部材６５に軸支された前記遊技制御基板ボックス９０を閉止位置に係止保持する係止片７９と、を設け、前記機構板１２０は、開口窓１２１が形成され、該開口窓１２１に沿った上部から側部を通って下部に前記所定個数の賞球を払い出すための機構が配置され、前記基板ボックス取付部材６５及び係止片７９に前記遊技制御基板ボックス９０を取り付けた状態で、当該遊技制御基板ボックス９０が前記入賞玉集合カバー体５９〜６１の前記入賞玉誘導路７１，７３を覆うようにすると共に前記機構板１２０の開口窓１２１から後方に貫通するように臨ませ、前記第２カバー体６１は、その前面に突設される位置決め突起８６によって前記遊技盤４０の裏面に位置決めして取り付けられると共に、前記複数の入賞領域への入賞玉の入賞は、停電時のバックアップ機能を有する記憶手段に記憶されることを特徴とするものである。このように構成することにより、遊技制御基板ボックス９０を機構板１２０の後面に設けた場合に比べて機構板の裏面を有効に使用することが可能であると共に、遊技制御基板ボックス９０を開放することによって透過性合成樹脂で形成されている入賞玉集合カバー体５９〜６１の内部を視認することができ、入賞玉集合カバー体５９〜６１内の状況を迅速に知ることができる。
【０００５】
また、前記基板ボックス取付部材６５に軸支された前記遊技制御基板ボックス９０を開放位置に保持するために当該遊技制御基板ボックス９０と係止するボックス係止部材５５を設けたことにより、入賞玉集合カバー体６０，６１の内部で入賞玉が流れないような玉詰まり現象が生じたか否かを確認する場合等の確認作業を行い易くすることができる。
【０００６】
更に、図９に示すように、前記基板ボックス取付部材６５は、前記遊技制御基板ボックス９０の側壁外側に突設される楕円形状の回動突起１０２の長径に合致する回動軸穴６９の前方に前記回動突起１０２の短径と同じ長さの挿入切欠部７０が形成されたものであることにより、遊技制御基板ボックス９０を水平方向に回動して回動突起１０２の短径と挿入切欠部７０とを一致させて手前側に引き抜けば、簡単に遊技制御基板ボックス９０を入賞玉集合カバー体６０，６１から取り外すことができる。
【０００７】
【発明の実施の形態】
以下、図面を参照して、本発明の実施形態について説明する。まず、図１及び図２を参照して弾球遊技機１の全体の構成について説明する。図１は、実施形態に係る弾球遊技機１の正面図であり、図２は、弾球遊技機１の背面図である。
【０００８】
弾球遊技機１は、縦長な方形状に枠組み形成される外枠２と、該外枠２の一側に開閉自在に軸支され且つ弾球遊技機１の主要構成部のほぼすべてが集約して設けられる枠基体３と、該枠基体３の前面上部に開閉自在に設けられるガラス板保持枠４とから構成されている。また、枠基体３に設けられる主要構成部としては、ガラス板保持枠４、遊技盤４０、上皿１２、灰皿２７を含む下皿２４、操作ハンドル２８、機構板１２０、打球発射装置１７１がある。また、図示の実施形態では、弾球遊技機１の側方に遊技者に遊技玉を貸し出すためのユニット装置としてのカードユニット装置３０が付設されている。
【０００９】
ガラス板保持枠４には、後述する遊技盤４０の遊技領域をほぼ透視し得る円形透視窓５が開設され、該円形透視窓５の裏面からガラス板（図１２（Ａ）参照）が装着されている。また、ガラス板保持枠４には、円形透視窓５の外周に沿って、その上部に装飾ＬＥＤ７が、その左右両側方に装飾蛍光灯６ａ，６ｂが設けられている。この装飾ＬＥＤ７や装飾蛍光灯６ａ，６ｂは、遊技状態に応じて点灯又は点滅されるものであり、特別の遊技状態の発生時や継続時を遊技者に報知すると共に遊技の雰囲気を盛り上げるものである。また、ガラス板保持枠４の軸支側上部には、払い出すべく景品玉が不足したこと（後述する玉切れ検出センサ１３２が作動したとき）を報知する玉切れＬＥＤ８や、入賞玉の発生に基づいて所定個数の景品玉が払い出されたことを報知する払出ＬＥＤ９が設けられ、更に、ガラス板保持枠４の上部左右に遊技の進行に応じた効果音を発生するスピーカ１０ａ，１０ｂが設けられている。上記した構成のうち、装飾ＬＥＤ７や玉切れＬＥＤ８及び払出ＬＥＤ９は、複数のＬＥＤがプリント配線基板上に実装されるように構成されるものであるが、このプリント配線基板を金属ベースプリント配線基板で構成することにより、ＬＥＤから発生される熱の放熱効果を高めることができる。
【００１０】
次に、ガラス板保持枠４の下部で開閉自在に取り付けられる上皿１２の構成について説明すると、上皿１２は、合成樹脂製の上皿開閉板１１の表面に複数の合成樹脂製部材を組合せた皿部材を固着することにより構成されている。上皿開閉板１１には、その開放側の上端に玉抜き操作レバー１６が設けられている。この玉抜き操作レバー１６は、左右方向に移動可能に設けられ、図示しないスプリングの付勢力に抗して一方向に移動させることにより、上皿１２に貯留されていた玉を上皿開閉板１１の裏面に形成される玉抜き路（図示しない）を流下させて下皿２４に誘導するものである。また、上皿１２には、その内部に圧電ブザー１７が内蔵されている。この圧電ブザー１７は、遊技玉の貸出異常が生じたとき（例えば、ピッ、ピッ、ピッという連続音）、あるいは遊技玉の貸出時（例えば、１００円相当の遊技玉が払い出される毎にピーという音）に、その旨を報知する報知音が発生されるものである。
【００１１】
上記した上皿１２について、さらに詳細に説明すると、上皿１２は、その上流側に形成される賞球払出口１４とその下流側に形成される打球供給口１５とを連絡するように貯留整列路１３が形成されており、その貯留整列路１３の中程底面裏面に上皿玉検出器１８（図示しないが、図１９のブロック図に表示）が設けられている。この上皿玉検出器１８は、上皿１２に残留する打玉を検出するものである。また、上皿１２には、弾球遊技機１に隣接して設けられるカードユニット装置３０を介して遊技玉を借り受ける際に操作する操作部が設けられている。操作部として玉貸スイッチ２０と返却スイッチ２２と自動玉貸スイッチ２９とが設けられ、また、その玉貸スイッチ２０と返却スイッチ２２の側方に度数表示ＬＥＤ２１及び自動玉貸表示ＬＥＤ２９ａが設けられている（図１７参照）。
【００１２】
玉貸スイッチ２０は、カードユニット装置３０によって遊技玉を借り受ける際に操作するものであり、返却スイッチ２２は、遊技終了の際にカードユニット装置３０のカード挿入口３３に差し込まれたカードを返却するためのものである。また、度数表示ＬＥＤ２１は、カードユニット装置３０のカード挿入口３３に差し込まれたカードの残額が表示されるものである。また、自動玉貸スイッチ２９は、借り受けるべき遊技玉を前記玉貸スイッチ２０を操作して行うマニュアルモードと、上皿１２の打玉の残量が前記上皿玉検出器１８によって検出されなくなったときに自動的に遊技玉を払い出す自動モードと、のいずれかのモードに設定するものであり、自動モータが選択設定されているときには、自動玉貸表示ＬＥＤ２９ａが点灯している。
【００１３】
しかして、後述する遊技盤４０の遊技内容において大当り遊技状態が発生すると、短時間に多量の入賞玉を獲得するチャンスがある。このように大当り遊技状態という遊技者にとって極めて大きなチャンスは、上皿１２の残留玉がほとんどなくなった時点で発生する場合もあり、このような場合、続けて打玉を発射させて打玉を可変入賞球装置４２の特定入賞領域に入賞させる必要があるにも拘らず、打玉が上皿１２に残存しないので、慌てて玉貸スイッチ２０を操作して遊技玉を借り受けなければならない。しかし、玉貸スイッチ２０を操作してから遊技玉が払い出され、しかもその玉が発射されて可変入賞球装置４２の特定入賞領域に到達するまでに多少の時間がかかるため、その時間の間に有利なチャンス（継続権の成立）を逃してしまうという不都合があるが、本実施形態においては、自動玉貸スイッチ２９を自動モードに設定しておけば、上皿玉検出器１８が打玉の不存在を検出した時点で自動的に遊技玉を上皿１２に払い出すので、上記したような不都合は生じない。なお、上皿１２として上記した制御を行わないならば、上皿玉検出器１８及び自動玉貸スイッチ２９を省略したものでも良い。
【００１４】
更に、上皿開閉板１１の開放側上部には、前記ガラス板保持枠４を枠基体３に対して施錠し且つ前記枠基体３を外枠に対して施錠する施錠装置を操作するためのシリンダー錠２３が臨んでいる。
【００１５】
また、枠基体３の下部に取り付けられる下皿２４は、前記上皿１２から溢れた賞球であって後述する余剰玉通路１４１を介して余剰玉払出口２５から排出される余剰の賞球を貯留するものであり、その下皿２４の前面壁には、玉抜き操作レバー２６がスライド可能に取付けられるようになっている。この玉抜き操作レバー２６を操作することにより、下皿２４に貯留されていた賞球を下方に玉抜きして持ち運び可能な玉箱に移し替えることができる。また、下皿の左側には、灰皿２７が設けられ、右側には、操作ハンドル２８が設けられている。操作ハンドル２８は、後述する打球発射装置１７１の発射装置モータ１７２の駆動を開始せしめるメインスイッチ１９１及びタッチアンテナ１９２（共に図１７参照）を内蔵していると共に、弾発力を調節するものである。
【００１６】
弾球遊技機１の正面構造は、概ね上記した通りであるが、図示の実施形態では、弾球遊技機１にカードユニット装置３０が隣接されている。このカードユニット装置３０は、前記上皿１２の上面に設けられる前述した操作部を操作することにより作動されるものである。しかして、カードユニット装置３０は、使用可能状態であるか否かを表示する使用可能表示器３１と、当該カードユニット装置３０がいずれの側の弾球遊技機１に対応しているか否かを表示する連結台方向表示器３２と、記録媒体としての磁気カードを挿入するカード投入口３３とが設けられている。そして、このように構成されるカードユニット装置３０は、独自の制御回路によって制御されるものであるが、上皿１２に設けられる玉貸スイッチ２０、返却スイッチ２２、及び度数表示ＬＥＤ２１や、後述する払出制御基板ボックス１５４に内蔵される賞球払出制御回路基板２００と接続されている。なお、カードユニット装置３０を弾球遊技機１に内蔵しても良い。なお、本実施形態においては、遊技者に遊技玉を貸し出すためのユニット装置としてカードユニット装置３０を例示したが、例えば、紙幣等を挿入し得るユニット装置であっても良い。
【００１７】
一方、弾球遊技機１の背面には、図２に示すように、入賞玉の発生に基づいて所定個数の賞球を払い出すための各種の機構を装備した機構板１２０が設けられると共に、前記操作ハンドル２８に対応する裏面には、発射装置モータ１７２を有する打球発射装置１７１が固着され、その打球発射装置１７１の側方には、機構板１２０の後述する余剰玉通路１４１を流下する賞球を前記下皿２４に誘導する接続樋１７３が固着され、その接続樋１７３の側方に前記装飾蛍光灯６ａ，６ｂ、装飾ＬＥＤ７、スピーカ１０ａ，１０ｂ等の表示制御あるいは効果音制御を行う装飾制御基板１７６を収納する装飾制御基板ボックス１７４が装着され、更に、外枠２に対する枠基体３の開放側裏面に外枠２に対する枠基体３の施錠、及び枠基体３に対するガラス板保持枠４の施錠を行う施錠装置１７５が設けられている。
【００１８】
以上で、弾球遊技機１の全体の概略構成を説明したが、以下、弾球遊技機１を構成する要素のうち、遊技盤４０と、機構板１２０の詳細な構成について順次説明する。
【００１９】
まず、図１、図５乃至図１６を参照して遊技盤４０について説明する。図５は、遊技盤４０の背面から見た斜視図であり、図６は、遊技盤４０の背面図であり、図７は、遊技盤４０背面に取り付けられる遊技制御基板ボックス９０の取付状態を示す断面図であり、図８は、遊技制御基板ボックス９０とその上部の可変表示装置４１との関係を示す断面図であり、図９は、遊技制御基板ボックス９０を回動自在に支持する構造を示す側面図であり、図１０は、遊技制御基板ボックス９０の装着状態と装着状態を解除する動作を示す側面図であり、図１１は、図５に示す遊技盤と一部異なる構成要素を含んだ遊技盤４０の背面から見た斜視図であり、図１２は、遊技盤４０のアウト口４６から取り込まれたアウト玉の落下径路を示す側面図・背面図であり、図１３は、従来のアウト口４６部分の遊技盤４０の断面図であり、図１４は、本実施形態のアウト口４６部分の遊技盤４０の断面図であり、図１５は、本実施形態のアウト口４６部分の変形例を示す背面図であり、図１６は、図１５の側面断面図である。
【００２０】
遊技盤４０の正面構造について図１を参照して説明する。遊技盤４０は、枠基体３の裏面側に一体的に形成される遊技盤収納枠（図示しない）に収納固定されるべく、ほぼ正方形状の合板により形成され、その表面には、円形うず巻き状に誘導レール（図示しない）が取り付けられ、該誘導レールの内側が遊技領域とされて発射された打玉が落下するものである。遊技領域には、図示の場合、ドラム状可変表示装置４１や可変入賞球装置４２やドラム状可変表示装置４１の可変表示を許容する始動入賞口４３が設けられると共に、単に打玉を入賞とする入賞口４４，４５、打玉の流下方向，速度を変化せしめる風車又は多数の障害釘が設けられ、また、遊技領域の最下方には、いずれの入賞領域にも入賞しない打玉が取り込まれるアウト口４６が設けられている。
【００２１】
一方、遊技盤４０の裏面には、図５及び図８に示すように、前記ドラム状可変表示装置４１の回転ドラム４８を収納するドラム収納ボックス４７が突出して設けられている。このドラム収納ボックス４７には、回転ドラム４８と該回転ドラム４８を回転駆動するステッピングモータ４９と回転ドラム４８の絵柄を後方から照明する照明ランプ５１とからなるドラムユニットが複数個収納固定され、その底面外側には、上記したステッピングモータ４９や照明ランプ５０等からの配線を中継する副中継基板５１が保護カバー５３に被覆されて取り付けられている。この副中継基板５１には、コネクタ５２が設けられており、このコネクタ５２に後述する遊技制御基板ボックス９０に収納される回路基板９５，９８からの配線が接続されるようになっている。
【００２２】
また、ドラム収納ボックス４７の裏面には、内部で発生した熱を外部に放熱する放熱板５４が止着されている。この放熱板５４には、その下部一側にボックス係止部材５５が取り付けられている。ボックス係止部材５５は、図５及び図８に示すように、その上端を回動自在に軸支されており、その下端に係止爪５６が形成され、その下部後面に操作突起５８が突設され、常にボックス係止部材５５が前方に付勢されるようにスプリング５７で付勢されている。しかして、このボックス係止部材５５は、後述するように遊技動作を制御する回路基板９５，９８を収納する遊技制御基板ボックス９０が上辺を軸支して垂直方向から水平方向に回動自在に設けられるものであるが、水平方向の回動位置にあるときに遊技制御基板ボックス９０の透明カバー蓋９３のほぼ中央に穿設される掛穴１０４に係合させることにより、遊技制御基板ボックス９０を水平状態に保持することができるものである。このように水平方向に保持した状態で遊技制御基板ボックス９０によって覆われている後述する第２入賞玉集合カバー体６０及び第３入賞玉集合カバー体６１の状況を観察することができる。なお、ボックス係止部材５５と掛穴１０４との係合状態を解除するには、操作突起５８を摘んで後方に回動させることにより、その係合状態を解除することができる。
【００２３】
上記したドラム収納ボックス４７の下部を除く周囲には、ドラム状可変表示装置４１の上方に位置する入賞口（本実施形態では、入賞口４５だけ）に入賞した入賞玉を誘導する誘導通路がその前面に形成される第１入賞玉集合カバー体５９が取り付けられ、この第１入賞玉集合カバー体５９に連通するようにその下部に第２入賞玉集合カバー体６０、及び第３入賞玉集合カバー体６１が取り付けられている。
【００２４】
第１入賞玉集合カバー体５９には、その中央に前記ドラム収納ボックス４７が貫通する窓孔６２が形成されると共に、その上辺に配線収納溝６３が形成され、更に、一側後面に主中継基板６４が取り付けられている。主中継基板６４は、前記ドラム状可変表示装置４１以外の遊技盤４０に設けられる電気部品（例えば、各種のスイッチやランプ、あるいはソレノイド等）からの配線と遊技制御基板ボックス９０内に収納される回路基板９５，９８からの配線とを中継するものである。そして、ドラム収納ボックス４７から見て主中継基板６４の反対側に位置する電気部品から延びる配線を前記配線収納溝６３に収納して主中継基板６４に導くものである。
【００２５】
また、図６に示すように、第２入賞玉集合カバー体６０は、その前面側に前記始動入賞口４３に入賞した入賞玉を誘導する始動入賞玉用誘導路壁７１が形成されると共に、第１入賞玉集合カバー体５９から流下する入賞玉、前記始動入賞玉用誘導路壁７１から放出される入賞玉、前記可変入賞球装置４２及び入賞口４４に入賞した入賞玉を下流側に導く入賞玉誘導路壁７３が形成されている。なお、前記始動入賞玉誘導路壁７１の出口には、始動入賞玉検出器７２が設けられ、前記可変入賞球装置４２には、開閉板７７（図７参照）を開閉する開閉板用ソレノイド７４と開閉板７７の開放継続を検出する特定入賞玉検出器７５と開閉板７７への入賞玉数を検出する入賞玉検出器７６とがそれぞれ設けられている。上記した始動入賞玉検出器７２、開閉板用ソレノイド７４、特定入賞玉検出器７５、及び入賞玉検出器７６は、第２入賞玉集合カバー体６０の前面側の空間内に配置されるものであるが、この第２入賞玉集合カバー体６０が内部を透視することができる透過合成樹脂によって形成されているので、玉詰まりの状況等が外部から容易に見極めることができる。
【００２６】
一方、第２入賞玉集合カバー体６０の後面側には、その上部左右に基板ボックス取付部材６５が取り付けられている。この基板ボックス取付部材６５は、遊技動作を制御する回路基板９５，９８を収納する遊技制御基板ボックス９０の上端を回動自在に軸支するものであり、全体としてＬ字状の一辺に穿設された取付穴６６，６７のいずれかを第２入賞玉集合カバー体６０に形成された止め穴（図示しない）に一致させてビス６８で止着することにより、第２入賞玉集合カバー体６０に固定されるものである。なお、図５に示すように、取付穴６６，６７が縦方向にそれぞれ２つ形成されているが、これは、取り付ける遊技制御基板ボックス９０の大きさに対応してその取付位置を異ならせて一対の基板ボックス取付部材６５の間隔の大小を形成するためである。
【００２７】
また、基板ボックス取付部材６５の他辺の先端には、回動支持穴６９が形成されている。この回動支持穴６９は、図９に示すように、遊技制御基板ボックス９０の後述する楕円形状の回動突起１０２を係合させるものであり、回動突起１０２の長径に合致する回動支持穴６９の前方に回動突起１０２の短径と同じ長さの挿入切欠部７０が形成されている。なお、基板ボックス取付部材６５への脱着作用については、後に詳述する。
【００２８】
上記した第２入賞玉集合カバー体６０の下方に取り付けられる第３入賞玉集合カバー体６１の前面側には、第２入賞玉集合カバー体６０の前面側を流下する入賞玉を下流側に導く入賞玉誘導路壁８５が両端部に形成されると共に、遊技盤４０のアウト口４６の下部に刻設されるアウト玉通路８３の裏面開放部を覆うアウト玉通路被覆凹部８２が形成されている。アウト玉通路被覆凹部８２は、図７及び図１２（Ａ）に示すように、アウト口４６の裏面下部にパチンコ玉の直径よりやや深い深さとなるように刻設されたアウト玉通路８３の裏面を閉塞するものであり、その両端部にアウト玉通路８３の側壁に沿った通路壁突片８４が下流部まで突設され、更に、アウト玉通路被覆凹部８２の上端に入賞玉誘導振分突起８８が突設されている。なお、第３入賞玉集合カバー体６１は、図６及び図１４に示すように、入賞玉誘導路壁８５の先端に適宜間隔を置いて突設される位置決め突起８６を遊技盤４０の裏面に形成される位置決め穴に挿入することにより、一義的に取付位置が決められ、その後、入賞玉の流路に影響のない位置に突設される取付ボス８９にネジ８７で止着することにより、遊技盤４０の裏面に固着される。取付ボス８９とネジ８７による固着構造は、上記した第１入賞玉集合カバー体５９及び第２入賞玉集合カバー体６０についても同様である。
【００２９】
しかして、第３入賞玉集合カバー体６１の前面側を流下する入賞玉は、入賞玉誘導路壁８５の内側を流下すると共にアウト口４６の上方から流下してきた入賞玉は、入賞玉誘導振分突起８８によって左右に振り分けられて流下する一方、アウト口４６から排出された玉は、アウト玉通路８３を下流側に向かって流下する。この際、アウト玉通路８３の両側壁が通路壁突片８４によって被覆されているので、アウト玉の流下がスムーズに行われる。なお、アウト玉通路８３を流下したアウト玉は、図１２（Ａ）（Ｂ）に示すように、遊技盤４０を収納支持する遊技盤収納枠（枠基体３の裏面に一体的に形成される）の下部支持板部に形成されるアウト玉接続通路１０８をそのまま流下して、後述する機構板１２０のアウト玉排出通路１５９に導かれて弾球遊技機１の外部に排出されるようになっている。また、上記したアウト玉通路８３及びアウト玉接続通路１０８は、流下するアウト玉の勢いを弱めるために共に湾曲して形成されている。
【００３０】
また、第３入賞玉集合カバー体６１の後面下部には、基板ボックス係止部材７８が一体的に形成されている。この基板ボックス係止部材７８は、前記した基板ボックス取付部材６５に回動自在に支持される遊技制御基板ボックス９０の下部を固定するものであり、その中央に弾性変形し得る弾性操作片７９が設けられ、その弾性操作片７９に上向きに突設される係合突起８０を遊技制御基板ボックス９０の長手方向側面中央に穿設される係止穴１０３に係合させることにより、遊技制御基板ボックス９０の下部を固定するものである。また、基板ボックス係止部材７８の両端には、係合突起８０を係止穴１０３に係合させた状態で遊技制御基板ボックス９０の底面と当接する支持片８１が突設されている。なお、この第３入賞玉集合カバー体６１も透過性合成樹脂で形成されており、外部から内部が視認できるようになっている。
【００３１】
上記した基板ボックス取付部材６５及び基板ボックス係止部材７８の作用、及びアウト玉の流下構造を説明する前に、遊技制御基板ボックス９０の構造について図５及び図７を参照して説明する。図において、遊技制御基板ボックス９０は、上面が開放した箱体形状の合成樹脂製のボックス主体９１と該ボックス主体９１を被覆する透過性合成樹脂製の透明カバー蓋９３とから構成されている。なお、ボックス主体９１の底面は、内部が視認し得るように透過性合成樹脂製の透明底板９２で覆われている。また、ボックス主体９１には、回路基板９５，９８を止着するための取付ボスが突設されており、その取付ボスに止着される回路基板９５，９８は、本実施形態において２つに分割されている。一方の第１回路基板９５には、ＣＰＵ９６やＲＯＭ９７等の不正行為が行われ易い集積回路部品が実装されており、他方の第２回路基板９８には、電源回路９９等の不正行為が行われ難い電子部品が実装され、且つ第１回路基板９５の実装面が透明カバー蓋９３側に対面しており、第２回路基板９８の実装面が透明底板９２に対面して固定されている。そして、取付ボスに第１回路基板９５と第２回路基板９８とを止着したときには、相互にジョイントコネクタ１００で接続されている。
【００３２】
ところで、遊技制御基板ボックス９０は、ボックス主体９１を透明カバー蓋９３で被覆したときにその長手方向上辺が開放したコネクタ接続開口９４となり、そのコネクタ接続開口９４に臨む位置に第１回路基板９５と第２回路基板９８のコネクタ１０１が位置するようになっている。また、コネクタ接続開口９４の両サイドの側壁に前記楕円形状の回動突起１０２が突設され、長手方向下部側面に係止穴１０３が穿設され、透明カバー蓋９３の中央やや上方寄りに掛穴１０４及び全域に放熱穴（符号なし）が穿設されている。
【００３３】
次に上記した遊技制御基板ボックス９０を取り付ける基板ボックス取付部材６５及び基板ボックス係止部材７８の作用について説明する。まず、図９に示すように、遊技制御基板ボックス９０を水平となるように持って楕円形状の回動突起１０２の短径を挿入切欠部７０に挿入し（矢印ａ）、完全に挿入した位置で下方に向かって回動させることにより、回動突起１０２が回動支持穴６９内で回動する。そして、図１０（Ａ）に示すように、遊技制御基板ボックス９０の下部中央をｃ方向に押圧することにより、弾性操作片７９が弾性変形して係合突起８０が係止穴１０３に係合する。これにより、遊技制御基板ボックス９０が基板ボックス取付部材６５及び基板ボックス係止部材７８によって入賞玉集合カバー体６０，６１の裏面に装着されたこととなる。そして、この装着された状態においては、遊技制御基板ボックス９０をｂ方向に引っ張っても下部の係合突起８０と係止穴１０３との係合が外れないことは無論のこと、上部の回動突起１０２と回動支持穴６９との支持が外れることはない。
【００３４】
一方、下部の弾性操作片７９を下方に押圧（ｄ方向）することにより、係合突起８０と係止穴１０３との係合が離れるので、その離れた状態で遊技制御基板ボックス９０の下部を手前側（ｅ方向）に回動させることにより、遊技制御基板ボックス９０の下部の係合を解除することができ、そのまま水平方向に回動して回動突起１０２の短径と挿入切欠部７０とを一致させて手前側に引き抜けば、簡単に遊技制御基板ボックス９０を入賞玉集合カバー体６０，６１から取り外すことができる。
【００３５】
なお、本実施形態においては、回動突起１０２の突設位置が図９及び図１０（Ａ）に示すように、水平状態で回動突起１０２を挿入切欠部７０に挿入する際に遊技制御基板ボックス９０の上面が第２入賞玉集合カバー体６０の上端から突出しない寸法Ｌ７であり、垂直状態で回動突起１０２が回動支持穴６９に支持された状態でも、その側面（上端）が第２入賞玉集合カバー体６０の上端から突出しない寸法Ｌ９であるため、水平状態から垂直状態までの回動時に遊技制御基板ボックス９０の一部が第２入賞玉集合カバー体６０から上方に突出しないので、第２入賞玉集合カバー体６０の上端に隣接して位置する前記ドラム収納ボックス４７と当接することがない。また、遊技制御基板ボックス９０から前記副中継基板５１や主中継基板６４に接続される配線のコネクタ接続開口９４が遊技制御基板ボックス９０の回動軸支側に位置するため、回動操作時にわざわざコネクタ１０１をはずしたりしなくても良いと共に、長い配線を使用する必要もないので、遊技盤４０裏面の構成が簡素化される。
【００３６】
また、本実施形態における遊技制御基板ボックス９０は、上記したように簡単に脱着することができる他に、遊技制御基板ボックス９０を開放した状態（水平状態）で保持することができる。即ち、図８に示すように、遊技制御基板ボックス９０を水平よりやや上方にまで回動した状態でボックス係止部材５５の操作突起５８を摘んで後方に回動させて係止爪５６を掛穴１０４に挿入した後操作突起５８から手を離す。すると、係止爪５６と掛穴１０４とが係合した状態となるので、遊技制御基板ボックス９０から手を離しても、遊技制御基板ボックス９０がほぼ水平方向に保持されたままの状態となる。このように、本実施形態において遊技制御基板ボックス９０を水平状態に保持できるようにしたのは、例えば、入賞玉集合カバー体６０，６１の内部で入賞玉が流れないような玉詰まり現象が生じたか否かを確認する場合等の確認作業を行い易くするためである。なお、水平状態の保持を解除するときには、操作突起５８を後方に回動して係止爪５６と掛穴１０４との係合を解除すれば良い。
【００３７】
更に、本実施形態における遊技制御基板ボックス９０は、遊技盤４０の裏面に止着される入賞玉集合カバー体６０，６１に基板ボックス取付部材６５及び基板ボックス係止部材７８によって回動自在に装着され且つその入賞玉集合カバー体６０，６１の範囲内に設けられているので、遊技盤４０裏面のスペースを有効に利用していると共に、通常時遊技制御基板ボックス９０で隠されている入賞玉集合カバー体６０，６１の内部状況も水平方向に回動させることにより簡単に見ることができる。特に、本実施形態においては、遊技盤４０のほぼ中央に設けられるドラム状可変表示装置４１の後方突出部であるドラム収納ボックス４７の下端に隣接する位置で遊技制御基板ボックス９０が回動自在に装着されているので、所定の厚みのある遊技制御基板ボックス９０をドラム収納ボックス４７の側方に配置した場合に比べて、後述する機構板１２０の開閉動作をスムーズに行うことができるものである。
【００３８】
なお、図５乃至図１０に示す実施形態では、入賞玉集合カバー体５９，６０，６１を３つに分割形成したものを示したが、これは、遊技盤４０のセンターに配置される遊技装置の後方突出部の大きさに対応して窓孔６２が機種によって異なること、及び可変入賞球装置４２の形状が機種によって異なることを予測して上中下段に分割形成したものであり、すべての機種で一致するアウト口４６を基準とする水平線より下方の遊技盤裏面構造に対して入賞玉集合カバー体６１をすべての機種の共通部品として使用できるようにしたものである。なお、入賞玉集合カバー体６１の分割構造として特に上記した実施形態に限定されるものではなく、例えば、図１１に示すように、３つの入賞玉集合カバー体を一体的に形成した一体型入賞玉集合カバー体１０５を遊技盤４０の裏面に固着しても良いし、あるいは、第２，第３入賞玉集合カバー体６０，６１を一体的に形成して第１入賞玉集合カバー体５９と組合せた二分割、第１，第２入賞玉集合カバー体５９，６０を一体的に形成して第３入賞玉集合カバー体６１と組合せた二分割の入賞玉集合カバー体であっても良い。
【００３９】
次に、第３入賞玉集合カバー体６１のアウト玉通路被覆凹部８２によって奏される作用について図１２乃至図１４を参照して説明すると、前述したように、アウト口４６から入ったアウト玉は、遊技盤４０の裏面に刻設され且つアウト玉通路被覆凹部８２によって被覆されたアウト玉通路８３を下方に流下し、遊技盤４０を収納支持する遊技盤収納枠の下部支持板部に形成されるアウト玉接続通路１０８をそのまま流下し、そのアウト玉接続通路１０８の末端に連通する連通口１６０から機構板１２０のアウト玉排出通路１５９に導かれて弾球遊技機１の外部に排出されるようになっている。この際、アウト玉通路８３を閉塞するアウト玉通路被覆凹部８２が第３入賞玉集合カバー体６１と一体的に形成されているので、図１３に示す従来のアウト玉通路８３のように、単独のアウト玉通路閉塞板１０６をネジ１０７で止着したときに生じるアウト玉のアウト玉通路閉塞板１０６への衝突によりネジ１０７が緩んでアウト玉がアウト玉通路８３を正確に流下しないというトラブルを確実に防止することができる。また、独立したアウト玉通路閉塞板１０６を止着する作業をしなくても良いので、作業能率が向上するという利点もある。
【００４０】
また、図１４に示すように、アウト玉通路８３の両側壁が通路壁突片８４によって被覆されているので、アウト玉の流下がスムーズに行われると共に、図１２（Ｂ）に示すように、アウト玉通路８３が一側に寄った傾斜通路として構成されているため、アウト玉の勢いを遅くしてアウト玉接続通路１０８に流下せしめ、更に、アウト玉接続通路１０８もクランク状に形成されているので、下流側へのアウト玉の流下速度を弱めている。これにより、アウト玉の衝突する部材（ほとんど合成樹脂で形成されている）の摩耗を防止することができる。なお、アウト玉通路８３の流下速度を確実に弱めるために、図１５及び図１６に示すように、アウト玉通路８３の内部に蛇行用突起１０９を形成しても良い。
【００４１】
次に、弾球遊技機１の背面に設けられる機構板１２０の構成について図２乃至図４を参照して説明する。図２は、前述した通りであり、図３は、機構板１２０における賞球及び入賞玉の流れを示す弾球遊技機１の背面図であり、図４は、機構板１２０の背面図である。
【００４２】
図において、機構板１２０は、主として賞球を貯留する玉タンク１２２と該玉タンク１２２に貯留された賞球を下流側に整列しながら誘導する玉整列レール１２５とが設けられる上部構成部と、主として入賞に基づく賞球を払い出す賞球払出装置１３４が設けられる中間構成部と、主として遊技盤４０に打ち込まれた入賞を含む打玉を処理する処理機構が設けられる下部構成部と、が背面から見てコ字型開口窓１２１を構成するように一体的に形成されている。このため、機構板１２０を閉じた状態において遊技盤４０の一側辺部が開放された状態となるため、遊技盤４０の裏面構造が前述したように、ドラム収納ボックス４７及び遊技制御基板ボックス９０を有する複雑なものであっても、機構板１２０の開閉動作をスムーズに行うことができる。特に、図示の実施形態では、中間構成部の反対側に上部構成部と下部構成部とを連結する部材が設けられていないが、機構板１２０の全体の強度を考えて、上部構成部と下部構成部とを連結する連結部材を設けた場合であっても、厚みのある遊技制御基板ボックス９０が側方ではなく、ドラム収納ボックス４７の下方に配置され且つコ字型開口窓１２１の大きさが遊技制御基板ボックス９０を完全に貫通する大きさ（入賞玉集合カバー体５９，６０，６１の面積範囲とほぼ同じ）に形成されているので、機構板１２０の開閉動作がスムーズに行われる。
【００４３】
そこで、以下、機構板１２０の構成について、各構成部毎に説明する。まず、上部構成部には、多量の賞球を貯留する玉タンク１２２と、該玉タンク１２２から供給される賞球を複数列（本実施形態の場合、２列）に整列して流下させる玉整列レール１２５と、該玉整列レール１２５によって誘導された賞球を後述する賞球払出装置１３４に向けて方向転換するカーブ樋１２７と、該カーブ樋１２７の上方に設けられたターミナル基板ボックス１５３がそれぞれ所定の位置に設けられている。
【００４４】
玉タンク１２２は、その左右両側に突設された取付片によって上部構成部の所定の位置にビスで取り付けられるようになっている。また、玉タンク１２２は、上面が開放したボックス状に形成されると共に、その底面下流側に玉整列レール１２５と連通する落下口が開設され、該落下口に向かって傾斜する複数の傾斜底面によって底面が形成されている。また、落下口の上部の傾斜底面には、揺動自在に軸支される玉欠乏検知レバー１２３が設けられ、該玉欠乏検知レバー１２３の下方に、玉欠乏検出器１２４が固定されている。この玉欠乏検出器１２４は、玉タンク１２２内に賞球が不足したときに図示しない管理コンピュータに玉切れ信号を導出するようになっている。
【００４５】
上記した玉タンク１２２の下流側に配置される玉整列レール１２５は、上部構成部の一端から他端に向けて傾斜状に取り付けられ、周知のようにその内部中央に仕切壁が立設されている。この仕切壁は、玉タンク１２２の落下口から流出した賞球を下流に向かうにしたがって確実に左右２列に整列させるために徐々に高く形成されている。また、玉整列レール１２５の下流側上部には、玉ならし部材１２６が垂下され、玉整列レール１２５上を上下２段となって流下する賞球を１段とするようになっている。
【００４６】
更に、上記した玉整列レール１２５の下流側には、逆「く」字状の通路が形成されるカーブ樋１２７が接続されている。このカーブ樋１２７は、玉整列レール１２５によって前後方向（機構板１２０の背面から見て）２列に流下される賞球を左右方向（同じく機構板１２０の背面から見て）２列に流下するように方向転換するものである。そして、カーブ樋１２７の屈曲部に玉抜き口が形成され、該玉抜き口を玉抜き弁１２８で開閉自在に閉塞するように構成されている。玉抜き弁１２８は、弾球遊技機１の前面から玉抜きピンを差し込む操作によりこれに連結される玉抜き操作杆１２９を上下方向に揺動させて玉抜き口を閉塞したり開放したとするものである。したがって、機構板１２０には、玉抜き口の下部には、玉抜き通路１３０が形成されている。この玉抜き通路１３０は、中間構成部及び下部構成部に連続して形成されている。
【００４７】
上部構成部には、上記した構成以外にターミナル基板ボックス１５３が設けられるが、このターミナル基板ボックス１５３は、内部にターミナル基板１８０を収納するものであり、そのターミナル基板１８０には、外部からの電源線が接続される電源端子や、外部との信号線が接続される信号端子や、ヒューズ、ランプ等が設けられるものである。これについては、後に詳述する。
【００４８】
次に、中間構成部の構成について説明する。中間構成部には、その上部に２条の通路体１３１が止着され、該通路体１３１の下方に賞球払出装置１３４が固着される。より詳細に説明すると、通路体１３１は、前記カーブ樋１２７によって流下方向を左右に変換された２列の賞球を流下させる賞球通路を有し、その賞球通路の上流側に玉切れ検出センサ１３２が臨むようになっている。この玉切れ検出センサ１３２は、賞球通路内の賞球の有無を検出するもので、いずれか一方の玉切れ検出センサ１３２が賞球を検出しなくなったときには、賞球払出装置１３４の賞球モータ１３５（ステッピングモータ）の作動を停止して賞球の払出を不能動化させるようになっていると共に前記玉切れＬＥＤ８を点灯するようになっている。なお、玉切れ検出センサ１３２は、賞球払出装置１３４から２列の賞球通路内の合計玉数が２７〜２８個目となる位置にある賞球を検出する位置に取り付けられている。また、２条の通路体１３１を必ずしも左右方向に並列状に設ける必要はなく、前後方向に重複状に設けても良い。
【００４９】
また、通路体１３１の下方は、玉止め装置１３３に接続されている。この玉止め装置１３３は、図示しないが、賞球払出装置１３４を装着した状態では、常時ストッパーが退避して通路体１３１の賞球通路から賞球払出装置１３４に賞球を供給するようになっているが、賞球払出装置１３４を取り外したときには、ストッパーが通路体１３１の賞球通路内に侵入するので、賞球が賞球払出装置１３４に供給されないようになっている。
【００５０】
中間構成部の下方に取着される賞球払出装置１３４は、直方体状のケースの内部に集約構成されたものであり、賞球モータ１３５（図１７参照）の回転によりスクリュー部材を回転せしめて賞球を１個づつ払い出すものであり、このため、賞球払出装置１３４には、賞球モータ１３５と払い出した賞球を検出する玉払出検出器１３６（図１７参照）を有している。なお、上記した通路体１３１及び賞球払出装置１３４は、中間構成部の一側に開閉自在に軸支される側方通路カバー体１３７（図２参照）によって被覆されるようになっている。
【００５１】
次に、下部構成部の構成について説明する。下部構成部の前面側（遊技盤４０に当接する側）には、そのほぼ中程に入賞玉集合樋１４５が傾斜状に設けられている。この入賞玉集合樋１４５は、遊技盤４０の可変入賞球装置４２等に入賞した入賞玉を受け止めて後述する入賞玉処理装置１４８に誘導するものであり、その下流側が入賞玉を１個ずつ流下させる入賞玉誘導路１４６となっており、その入賞玉誘導路１４６の末端が下部構成部の前面側から後面側に出て入賞玉排出通路１４７を構成している。そして、この入賞玉排出通路１４７の途中に入賞玉処理装置１４８が設けられるものである。この入賞玉処理装置１４８の構成については、後に詳述する。
【００５２】
また、入賞玉集合樋１４５の下方には、前記アウト玉接続通路１０８の末端に対応する位置に連通口１６０が開設され、該連通口１６０に連続してアウト玉を排出するアウト玉排出通路１５９が下部構成部の後面側に形成されている。アウト玉排出通路１５９の末端には、アウト玉を検出するアウト玉スイッチ１６１が取り付け得るようになっており、前記入賞玉処理装置１４８で処理された入賞玉が流下する入賞玉排出通路１４７と合流して弾球遊技機１の外部に排出されるようになっている。
【００５３】
一方、下部構成部の後面側には、その一側上部に賞球払出通路１３８が形成され、該賞球払出通路１３８の下端に上皿連通口１３９が形成されている。この上皿連通口１３９は、弾球遊技機１の前面に設けられる上皿１２に賞球を導くものである。上皿連通口１３９の一側側方には、連絡通路１４０が接続され、該連絡通路１４０の末端に余剰玉通路１４１が接続されている。しかして、入賞に基づく賞球が多数払い出されて上皿１２が賞球で満杯となり、遂には上皿連通口１３９に到達してさらに賞球が払出続けられたときには、賞球は連絡通路１４０を介して余剰玉通路１４１に導かれ、その後、前記接続樋１７３（図１２（Ａ）参照）を介して前記下皿２４に排出される。そして、さらに賞球が払出続けられたときには、下皿２４も満杯になるが、余剰玉通路１４１の一側側壁に設けられた満タン検知板１４２部分にまで到達すると、満タン検知板１４２が賞球に押圧されて上端の支軸を中心にして外側に向かって揺動し、これによって満タンスイッチ１４３がＯＮされて、賞球払出装置１３４の賞球モータ１３５の駆動を停止して賞球の払出動作を不能動化すると共に、必要に応じて打球発射装置１７１の発射装置モータ１７２の駆動も停止される。
【００５４】
上記した賞球払出通路１３８、玉抜き通路１３０、連絡通路１４０、及び余剰玉通路１４１の後面は、下部通路カバー体１４４によって覆われるが、本実施形態においては、賞球払出制御回路基板２００を収納する払出制御回路基板用ボックス１５４が枠基体３の軸支側又は機構板１２０の軸支側（後述する軸受金具１５５と軸支金具１５６とによって軸支される）の前記上皿連通口１３９の下方であって玉抜き通路１３０と余剰玉通路１４１とによって形成される空間の上面部分に設けられる関係上、余剰玉通路１４１の開放側寄りの下部構成部の隅角部に入賞玉処理装置１４８が収納される処理装置収納空間とされ、その処理装置収納空間内に入賞玉処理装置１４８が収納固定された後、処理装置用カバー１５２によって閉塞される。したがって、上述した入賞玉集合樋１４５は、従来の機構板に形成されるものと逆方向の機構板１２０の開放側に向かって下り傾斜するように構成されている。
【００５５】
処理装置収納空間に収納される入賞玉処理装置１４８は、入賞玉の流下通路の途中に設けられる入賞玉検出器１４９と、該入賞玉検出器１４９の前後で入賞玉を１個ずつ受け止めその後下方に流下せしめる玉止め部材１５０と、該玉止め部材１５０を駆動する入賞玉排出ソレノイド１５１とから構成されているものである。
【００５６】
上記した入賞玉処理装置１４８の作用について簡単に説明すると、まず、入賞玉排出ソレノイド１５１がＯＦＦである通常の状態においては、入賞玉が入賞玉検出器１４９によって検出される状態で玉止め部材１５０の下部が入賞玉検出器１４９の下方に突出している。そのような状態で入賞玉が発生して入賞玉が入賞玉検出器１４９によって検出されると、その検出信号が後述する払出制御回路基板用ボックス１５４内に収納される賞球払出制御回路基板２００に送られ、これにより賞球払出装置１３４が駆動制御されて所定個数の賞球の払出動作が行われる。そして、所定個数の賞球の払出が終了したときには、賞球払出制御回路基板２００から入賞玉排出ソレノイド１５１に駆動信号が送られて入賞玉排出ソレノイド１５１を所定時間ＯＮする。入賞玉排出ソレノイド１５１がＯＮすると、玉止め部材１５０が次の入賞玉の入賞玉検出器１４９への侵入を阻止しながら入賞玉検出器１４９によって検出されていた入賞玉を下流側に開放する。そして、一定時間が経過して入賞玉排出ソレノイド１５１がＯＦＦになると、玉止め部材１５０が再度元の状態に戻って次の入賞玉を入賞玉検出器１４９に受け入れてその入賞玉による賞球の払出動作が行われる。
【００５７】
このように、本実施形態における入賞玉処理装置１４８は、発生した入賞玉を一旦停留し、所定の賞球が払い出される毎に１個ずつ入賞玉を処理するようにしたので、停電時等においては、発生した入賞玉が証拠玉として残留するため、遊技者との間でトラブルが生じることがない。なお、バックアップ機能がある場合には、このような入賞玉処理装置１４８を使用することなく、発生した入賞玉をすべて記憶して、記憶が終わった入賞玉を弾球遊技機１の外部に排出するようにしても良い。また、入賞玉検出器１４９がＯＮしたときには、前記払出ＬＥＤ９が所定時間点灯するようになっている。
【００５８】
上記のように形成される機構板１２０の後面側には、前述したターミナル基板ボックス１５３や払出制御回路基板用ボックス１５４等の各種の制御回路基板が着脱自在に取り付けられている。このうち、前記賞球払出装置１３４の動作を制御する賞球払出制御回路基板２００を収納する払出制御回路基板用ボックス１５４が機構板１２０の軸支側下部に設けられ、また、カードユニット装置３０からの配線３０ａが直接賞球払出制御回路基板２００に接続されるようになっている。なお、賞球払出制御回路基板２００には、後に詳述するように賞球払出装置１３４や入賞玉処理装置１４８、あるいはカードユニット装置３０からの配線を接続するためのコネクタ端子２０１〜２０８（２０６を除く）や、例えば玉切れ検出センサ１３２の作動時に打球の発射動作を停止させるか否かを選択する打止モードスイッチ２１０、故障の種類を数値で表示する表示器２１１、制御動作のプログラム暴走時等にリセットするリセットスイッチ２１２等が設けられ、それらが外部に臨むように蓋カバーが左右両側で段差状に形成されると共に開口部となっている。なお、賞球払出制御回路基板２００の構成については、後に詳述する。
【００５９】
上記のように構成される賞球払出制御回路基板２００は、前記入賞玉検出器１４９からの入賞玉信号を受けて賞球払出装置１３４の賞球モータ１３５に駆動開始信号を導出し、賞球払出装置１３４内に設けられる玉払出検出器１３６からの信号を計数してその計数値が予め定めた払出景品玉数となったときに賞球モータ１３５に駆動停止信号を導出して景品玉の払出動作を停止させると共に、入賞玉処理装置１４８の入賞玉排出ソレノイド１５１に駆動信号を与える。また、前記玉切れ検出センサ１３２や満タンスイッチ１４３からの信号があったときには、その入賞に対する払出動作が終了した時点又は直ちに賞球モータ１３５に停止信号を導出するようになっている。また、払出景品玉数が２種類ある場合には、払出景品玉数の少ない方の入賞玉数を記憶しておき、その記憶値の分に相当する払出動作を優先的に実行するようにすれば良い。このようにすれば、仮に停電等で記憶値が消去されても、遊技者に相対的に多い払出景品玉数で払い出すことができるからである。このことを考慮しなければ、いずれを記憶するように設計しても良い。また、同様にカードユニット装置３０からの遊技玉の玉貸要求信号があったときにも上記と同様の動作により所定個数（例えば、２５個／１００円）の遊技玉を賞球払出装置１３４によって払い出す。
【００６０】
上記したように、賞球を払い出すための各種の機構や各種の制御基板等が装備された機構板１２０は、前記カードユニット装置３０側で枠基体３に軸支されて開閉自在に設けられる。即ち、図２及び図３に示すように、枠基体３の遊技盤保持枠の一側辺に沿って設けられた軸支金具１５６の上下端に突設される軸支ピン１５７に機構板１２０の一側上下に固着される軸受金具１５５を差し込むことにより、開閉自在に設けられ、機構板１２０を閉じた状態では、機構板１２０の適宜位置に設けられた掛止めレバー１５８を遊技盤保持枠に突設される係止ピンに掛け止めることにより、機構板１２０を遊技盤４０の裏面を覆うように枠基体３の裏面に固定することができる。図２及び図３中において、符号１７０は、遊技盤４０を遊技盤保持枠の中に収納して固定するための遊技盤係止レバー１７０である。
【００６１】
次に、機構板１２０に設けられるターミナル基板ボックス１５３に収納されるターミナル基板１８０と払出制御回路基板用ボックス１５４に収納される賞球払出制御回路基板２００と、カードユニット装置３０と、遊技制御基板ボックス９０に収納される遊技制御回路基板９５，９８との関係、遊技制御回路基板９５，９８と他の電気的部品（遊技装置等）との関係、及び賞球払出制御回路基板２００と他の電気的部品との関係を図１７乃至図２１を参照して説明する。図１７は弾球遊技機１全体の配線図であり、図１８は、遊技制御回路基板９５，９８を中心として見た場合の配線図であり、図１９は、賞球払出制御回路基板２００を中心として見た場合の配線図であり、図２０は、図１９中の信号回路２４３の詳細な回路図であり、図２１は、図１９中のリレー回路２４４の詳細な回路図である。
【００６２】
図１７において、ターミナル基板ボックス１５３に収納されるターミナル基板１８０は、その前面側に外部電源供給線が接続される電源コネクタ１８５、電源スイッチ１８７、外部（例えば、管理コンピュータ）と弾球遊技機１との間の信号線を接続する玉切れ情報出力端子１８１と発射制御信号入力端子１８２と玉貸情報出力端子１８３と補給情報出力端子１８４、発射制御信号入力端子１８２からの発射打止情報信号に基づいて作動するリレー１８６、各制御回路基板に供給される電源線の途中に設けられるヒューズ１８８が実装されたプリント配線基板によって構成されるものである。また、ターミナル基板１８０からは、賞球払出制御回路基板２００（賞球玉貸制御・インターフェイス基板と表示）及び遊技制御回路基板９５，９８に対して電源線や信号線（上記した玉貸情報信号や補給情報信号）が接続されると共に、玉欠乏検出器１２４も接続されている。
【００６３】
遊技制御回路基板９５，９８は、賞球払出制御回路基板２００と賞球数信号をやり取りするために集合配線（図１７の二点鎖線で示す）で接続されていると共に、図１８に示すような各種の電気部品及び回路基板と接続されている。
【００６４】
賞球払出制御回路基板２００は、カードユニット装置３０からの配線３０ａを接続するコネクタ２０１と、賞球払出装置１３４の賞球モータ１３５及び玉払出検出器１３６と通路体１３１の玉切れ検出センサ１３２と入賞玉処理装置１４８の入賞玉検出器１４９及び入賞玉排出ソレノイド１５１とからのを接続するコネクタ２０２と、上皿１２に設けられる玉貸スイッチ２０、返却スイッチ２２、度数表示ＬＥＤ２１、圧電ブザー１７、自動玉貸スイッチ２９、及び自動玉貸表示ＬＥＤ２９ａからの配線を接続するコネクタ２０３と、上皿１２に設けられる玉検出器１８からの配線が接続されるコネクタ２０４と、満タンスイッチ１４３からの配線を接続するコネクタ２０５と、が実装されるインターフェイス用コネクタ実装領域２０６と、図１９に示す払出制御用マイクロコンピュータ２４０等の集積回路電子部品や前記ターミナル基板１８０、遊技制御回路基板９５，９８、及び打球発射装置１７１の動作を制御するモータ制御基板１９０からの配線を接続するためのコネクタ２０７〜２０９が実装される払出制御回路部とが一体的に形成されている。なお、本実施形態において、インターフェイス用コネクタ実装領域２０６に実装されるコネクタとしては、カードユニット用コネクタ２０１と操作用コネクタ２０３があれば十分であり、他のコネクタ２０２，２０４，２０５は、払出制御回路部にあっても良い。上記した構成のうち、打球発射装置１７１の動作を制御するモータ制御基板１９０には、発射装置モータ１７２とメインスイッチ１９１とタッチアンテナ１９２とが接続されている。
【００６５】
上記した回路基板のうち、遊技制御回路基板９５，９８は、前述したように、２段構成の回路基板９５，９８から構成されており、図１８に示すように、上方の第１回路基板９５には、ＣＰＵ９６やＲＯＭ９７等からなる基本回路、初期リセット回路２２０、定期リセット回路２２１、アドレスデコード回路２２２、情報出力回路２２３、ランプ・ＬＥＤ回路２２４、スイッチ入力回路２２５、ソレノイド回路２２６、表示制御回路２２７がその表面側に形成又は実装されると共に、複数のコネクタ１０１が表面側に実装され且つジョイントコネクタ１００の一方のコネクタが裏面に実装される。また、下方の第２回路基板９８には、その表面側（前記透明底板９２と対面する側）に電源回路９９が形成されると共に、音声合成回路２２８、音量増幅回路２２９、賞球個数信号出力回路２３０、及び複数のコネクタ１０１が形成又は実装され、その裏面側にジョイントコネクタ１００の他方のコネクタが実装されている。
【００６６】
第１回路基板９５の情報出力回路２２３、ランプ・ＬＥＤ回路２２４、スイッチ入力回路２２５、ソレノイド回路２２６は、コネクタ１０１から主中継基板６４を介して遊技盤４０に設けられる電気部品６ａ，６ｂ、７、７２，７４，７５，７６等と接続され、表示制御回路２２７は、コネクタ１０１から副中継基板５１を介してドラム状可変表示装置４１の電気部品４９，５０等に接続される。また、第２回路基板９８の音声合成回路２２８及び音量増幅回路２２９は、コネクタ１０１から装飾制御基板１７６に接続されてスピーカ１０ａ，１０ｂの効果音を制御し、賞球個数信号出力回路２３０は、コネクタ１０１から賞球払出制御回路基板２００に接続され、電源回路９９には、ターミナル基板１８０からの電源配線がコネクタ１０１によって接続されている。なお、装飾制御基板１７６によって制御される対象としてスピーカ１０ａ，１０ｂの他に装飾蛍光灯６ａ，６ｂや装飾ＬＥＤ７を対象としても良い。これらを専用の装飾制御基板１７６で制御することにより、より複雑な駆動制御を行うことができる。
【００６７】
また、賞球払出制御回路基板２００は、図１９に示すように、払出制御用マイクロコンピュータ２４０、情報出力回路２４１、装飾制御出力回路２４２、信号回路２４３、リレー回路２４４、ＬＥＤ回路２４５、リセット回路２４６、モータ回路２４７、ソレノイド回路２４８、スイッチ回路２４９、ブザー回路２５０、上皿表示ＬＥＤ回路２５１、信号回路２５２、電源回路２５３、複数のコネクタ２０１〜２０５，２０７〜２０９，２５５、打止モードスイッチ２１０、表示器２１１、リセットスイッチ２１２が形成又は実装されている。
【００６８】
上記したコネクタ２０１〜２０９，２５５（２０６を除く）のうち、コネクタ２０１は、カードユニット装置３０専用のコネクタであり、カードユニット装置３０と払出制御用マイクロコンピュータ２４０とを信号回路２５２を介して接続している。また、コネクタ２０２には、賞球モータ１３５、入賞玉排出ソレノイド１５１、入賞玉検出器１４９、玉払出検出器１３６、玉切れ検出センサ１３２（玉切れスイッチと表示）からの配線が接続されてモータ回路２４７、ソレノイド回路２４８、及びスイッチ回路２４９の一部を介して払出制御用マイクロコンピュータ２４０に接続されている。また、コネクタ２０３には、自動玉貸スイッチ２９、玉貸スイッチ２０、返却スイッチ２２、圧電ブザー１７、度数表示ＬＥＤ２１、自動玉貸表示ＬＥＤ２９ａからの配線が接続されてスイッチ回路２４９の一部、ブザー回路２５０、及び上皿表示ＬＥＤ回路２５１を介して払出制御用マイクロコンピュータ２４０に接続されている。更に、コネクタ２０４には、玉検出器１８（上皿玉検出器と表示）からの配線が接続され、コネクタ２０５には、満タンスイッチ１４３からの配線が接続されてそれぞれスイッチ回路２４９を介して払出制御用マイクロコンピュータ２４０に接続されている。なお、玉切れ検出センサ１３２の作動時に打球の発射動作を停止させるか否かを選択する打止モードスイッチ２１０は、スイッチ回路２４９を介して払出制御用マイクロコンピュータ２４０に接続されている。
【００６９】
一方、コネクタ２０７には、ターミナル基板１８０の補給情報出力端子１８４及び玉貸情報出力端子１８３とを結ぶ配線が接続されて情報出力回路２４１を介して払出制御用マイクロコンピュータ２４０に接続され、同じくコネクタ２０７には、ターミナル基板１８０の発射制御信号入力端子１８２への発射停止信号への入力に基づき作動したリレー１８６の発射制御信号を伝送する信号線が接続されて払出制御用マイクロコンピュータ２４０に直接入力され、コネクタ２５５には、装飾制御基板１７６が接続されて装飾制御出力回路２４２を介して払出制御用マイクロコンピュータ２４０に接続され、コネクタ２０８には、遊技制御回路基板９８の前記賞球個数信号出力回路２３０からの配線が接続されて信号回路２４３を介して払出制御用マイクロコンピュータ２４０に接続され、コネクタ２０９には、モータ制御基板１９０からの配線が接続されてリレー回路２４４を介して払出制御用マイクロコンピュータ２４０に接続されている。また、賞球払出制御回路基板２００に予め実装されている表示器２１１及びリセットスイッチ２１２は、それぞれＬＥＤ回路２４５及びリセット回路２４６を介して払出制御用マイクロコンピュータ２４０に接続されている。更に、電源回路２５３は、複数の電圧に分岐してそれぞれの回路又は装置に電源を供給すると共に、カードユニット装置３０にもヒューズ２５４を介して電源を供給している。なお、前記情報出力回路２４１から出力される補給情報は、１０個の玉を前記玉払出検出器１３６が検出したときに１パルス信号を導出し、玉貸情報は、１００円に相当する玉数を貸し出したときに１パルスを導出する。また、前記装飾制御出力回路２４２からは、入賞玉検出器１４９からの信号に基づいて払出ＬＥＤ９を点灯する信号と、玉切れ検出センサ１３２からの信号に基づいて玉切れＬＥＤ８を点灯する信号とをそれぞれ導出するようになっている。
【００７０】
また、図１９に示す回路のうち、前記信号回路２４３（信号回路２５２も同じ）は、図２０に示すように、フォトカプラー２５６によって構成されているので、遊技制御回路基板９５，９８からの不正電流が信号線に流れても払出制御用マイクロコンピュータ２４０にそのノイズ電流が流れないようになっている。同様に、前記リレー回路２２４は、図２１に示すように、リレー２５７とバリスター２５８とが並列接続されて構成されているので、発射装置モータ１７２が故障して異常電流が流れてもリレー２５７を介して払出制御用マイクロコンピュータ２４０に接続されているので、その異常電流が払出制御用マイクロコンピュータ２４０に流れず、また、発射モータ電源入力から過電流が流れても所定電圧以上の電流をリレー２５７に流さずバリスター２５８が導通（ショート）して電流を流すので、この場合にも払出制御用マイクロコンピュータ２４０に過電流が流れない。したがって、上記したフォトカプラー２５６、リレー２５７、バリスター２５８は、払出制御用マイクロコンピュータ２４０の保護回路を構成しているものである。
【００７１】
以上、実施形態に係る弾球遊技機１の構成及び作用について説明してきたが、本実施形態においては、図１、図５及び図６に示すように、遊技装置としての可変表示装置４１と複数の入賞領域４２〜４５とを有する遊技盤４０と、前記可変表示装置４１の動作を制御する遊技制御回路基板２００と、を備えた弾球遊技機において、遊技盤４０の裏面には、複数の入賞領域４２〜４５に入賞した入賞玉を誘導する透過性合成樹脂の入賞玉集合カバー体５９〜６１を設け、該入賞玉集合カバー体５９〜６１には、遊技制御回路基板２００を収納する遊技制御基板ボックス９０を回動自在に軸支する基板ボックス取付部材６５を設けると共に該基板ボックス取付部材６５に遊技制御基板ボックス９０を取り付けた状態で入賞玉集合カバー体６０，６１の範囲内に納まるようにしたことを特徴とするものである。このように構成することにより、遊技制御基板ボックス９０を機構板１２０の後面に設けた場合に比べて機構板の裏面を有効に使用することが可能であると共に、遊技制御基板ボックス９０を開放することによって透過性合成樹脂で形成されている入賞玉集合カバー体５９〜６１の内部を視認することができ、入賞玉集合カバー体５９〜６１内の状況を迅速に知ることができる。
【００７２】
また、少なくとも１つの遊技装置としての可変表示装置４１が遊技盤４０のほぼ中央にその後方を突出させるように配置されると共に、入賞玉集合カバー体５９には、可変表示装置４１の後方突出部であるドラム収納ボックス４７が貫通する窓孔６２を形成し、その窓孔６２の下辺に沿った位置に基板ボックス取付部材６５を設けて遊技制御基板ボックス９０をドラム収納ボックス４７の下方に配置することにより、ドラム収納ボックス４７と遊技制御基板ボックス９０を積層的に設けないので、後方への突出量を抑制することができる。
【００７３】
更に、遊技制御回路基板２００のコネクタ１０１の実装領域に対応するコネクタ接続開口９４を遊技制御基板ボックス９０の軸支側辺に沿って設けることにより、遊技制御基板ボックス９０の回動操作時にわざわざコネクタ１０１をはずしたりしなくても良いと共に、長い配線を使用する必要もないので、遊技盤４０の裏面の構成が簡素化される。
【００７４】
なお、以上説明してきた実施形態から把握できる発明として以下のものがある。
（１）前記基板ボックス取付部材６５は、その前面に挿入切欠部７０が形成されて回動支持穴６９を有する一方、前記遊技制御基板ボックス９０の両端部側壁に前記挿入切欠部７０の間隔とほぼ同じ短径であって前記回動支持穴６９の直径とほぼ同じ長径を有する楕円状の回動突起１０２を形成したことを特徴とする弾球遊技機。このように構成することにより、遊技制御基板ボックス９０の基板ボックス取付部材６５への脱着を極めて簡単に行うことができると共に、回動動作時に遊技制御基板ボックス９０が基板ボックス取付部材６５から脱落することはない。
（２）前記基板ボックス取付部材６５は、入賞玉集合カバー体６０への取付位置を変更し得る取付穴６６，６７を有し、異なる取付穴６６，６７を使用することにより異なる寸法の遊技制御基板ボックス９０を支持し得るようにしたことを特徴とする弾球遊技機。このように構成することにより、共通の部品を使用して異なる寸法の遊技制御基板ボックス９０を支持することができる。
（３）遊技装置の後方突出部であるドラム収納ボックス４７に、前記遊技制御基板ボックス９０を水平方向に回動した状態で保持するボックス係止部材５５を設けたことを特徴とする弾球遊技機。このように構成することにより、遊技制御基板ボックス９０を開放した状態で保持して入賞玉集合カバー体５９，６１の内部の観察を行い易くできる。
【００７５】
【発明の効果】
以上、説明したところから明らかなように、本発明においては、遊技盤の裏面には、複数の入賞領域に入賞した入賞玉を誘導する入賞玉誘導路が内部に形成され、該入賞玉誘導路を視認できるように透過性合成樹脂で構成された第１カバー体と、入賞玉誘導路の下流部分を構成すると共にアウト口の裏面側を覆ってアウト玉を下方に向けて流下勢を弱めながら誘導するための蛇行用突起が形成されるアウト玉通路が形成される第２カバー体と、からなる入賞玉集合カバー体を設け、を設け、入賞玉集合カバー体には、表示装置の後方突出部よりも下方で当該後方突出部に積層しない位置に遊技制御回路基板を収納する遊技制御基板ボックスを遊技制御回路基板を収納した状態で回動自在に軸支する基板ボックス取付部材と、該基板ボックス取付部材に軸支された遊技制御基板ボックスを閉止位置に係止保持する係止片と、を設け、機構板は、開口窓が形成され、該開口窓に沿った上部から側部を通って下部に所定個数の賞球を払い出すための機構が配置され、基板ボックス取付部材及び係止片に遊技制御基板ボックスを取り付けた状態で、当該遊技制御基板ボックスが入賞玉集合カバー体の入賞玉誘導路を覆うようにすると共に機構板の開口窓から後方に貫通するように臨ませ、第２カバー体は、その前面に突設される位置決め突起によって遊技盤の裏面に位置決めして取り付けられ、複数の入賞領域への入賞玉の入賞は、停電時のバックアップ機能を有する記憶手段に記憶されるので、遊技制御基板ボックスを機構板の後面に設けた場合に比べて機構板の裏面を有効に使用することが可能であると共に、遊技制御基板ボックスを開放することによって透過性合成樹脂で形成されている入賞玉集合カバー体の内部を視認することができ、入賞玉集合カバー体内の状況を迅速に知ることができる。
【００７６】
また、基板ボックス取付部材に軸支された遊技制御基板ボックスを開放位置で保持するために当該遊技制御基板ボックスと係止するボックス係止部材を設けたことにより、入賞玉集合カバー体の内部で入賞玉が流れないような玉詰まり現象が生じたか否かを確認する場合等の確認作業を行い易くすることができる。
【００７７】
更に、基板ボックス取付部材は、遊技制御基板ボックスの側壁外側に突設される楕円形状の回動突起の長径に合致する回動軸穴の前方に回動突起の短径と同じ長さの挿入切欠部が形成されたものであることにより、遊技制御基板ボックスを水平方向に回動して回動突起の短径と挿入切欠部とを一致させて手前側に引き抜けば、簡単に遊技制御基板ボックスを入賞玉集合カバー体から取り外すことができる。
【図面の簡単な説明】
【図１】  実施形態に係る弾球遊技機の正面図である。
【図２】  弾球遊技機の背面図である。
【図３】  機構板における賞球及び入賞玉の流れを示す弾球遊技機の背面図である。
【図４】  機構板の背面図である。
【図５】  遊技盤の背面から見た斜視図である。
【図６】  遊技盤の背面図である。
【図７】  遊技盤背面に取り付けられる遊技制御基板ボックスの取付状態を示す断面図である。
【図８】  遊技制御基板ボックスとその上部の可変表示装置との関係を示す断面図である。
【図９】  遊技制御基板ボックスを回動自在に支持する構造を示す側面図である。
【図１０】  遊技制御基板ボックスの装着状態と装着状態を解除する動作を示す側面図である。
【図１１】  図５に示す遊技盤と一部異なる構成要素を含んだ遊技盤の背面から見た斜視図である。
【図１２】  遊技盤のアウト口から取り込まれたアウト玉の落下径路を示す側面図・背面図である。
【図１３】  従来のアウト口部分の遊技盤の断面図である。
【図１４】  本実施形態のアウト口部分の遊技盤の断面図である。
【図１５】  本実施形態のアウト口部分の変形例を示す背面図である。
【図１６】  図１５の側面断面図である。
【図１７】  弾球遊技機全体の配線図である。
【図１８】  遊技制御回路基板を中心として見た場合の配線図である。
【図１９】  賞球払出制御回路基板を中心として見た場合の配線図である。
【図２０】  図１９中の信号回路の詳細な回路図である。
【図２１】  図１９中のリレー回路の詳細な回路図である。
【図２２】  従来の弾球遊技機とカードユニット装置との配線構造を示す部分背面図である。
【図２３】  本実施形態における弾球遊技機とカードユニット装置との配線構造を示す部分背面図である。
【符号の説明】
１  弾球遊技機
３  枠基体
３０  カードユニット装置
４０  遊技盤
４１  ドラム式可変表示装置
４７  ドラム収納ボックス
５５  ボックス係止部材
５９  第１入賞玉集合カバー体
６０  第２入賞玉集合カバー体
６１  第３入賞玉集合カバー体
６２  窓孔
６５  基板ボックス取付部材
６９  回動支持穴
７０  挿入切欠部
７８  基板ボックス係止部材
８２  アウト玉通路被覆凹部
８３  アウト玉通路
８８  入賞玉振分誘導突起
９０  遊技制御基板ボックス
９１  ボックス主体
９３  透明カバー蓋
９４  コネクタ接続開口
９５  第１回路基板
９６  ＣＰＵ
９７  ＲＯＭ
９８  第２回路基板
９９  電源回路
１００  ジョイントコネクタ
１０２  回動突起
１０３  係止穴
１０４  掛穴
１０８  アウト玉接続通路
１２０  機構板
１２１  コ字型開口窓
１３４  賞球払出装置
１４５  入賞玉集合樋
１４８  入賞玉処理装置
１５３  ターミナル基板ボックス
１５４  払出制御回路基板用ボックス
１５９  アウト玉排出通路
１８０  ターミナル基板
１９０  モータ制御基板
２００  賞球払出制御回路基板
２０１  カードユニット用コネクタ
２４０  払出制御用マイクロコンピュータ
【図１】
0004030613.tif 000002
【図２】
0004030613.tif 000003
【図３】
0004030613.tif 000004
【図４】
0004030613.tif 000005
【図５】
0004030613.tif 000006
【図６】
0004030613.tif 000007
【図７】
0004030613.tif 000008
【図８】
0004030613.tif 000009
【図９】
0004030613.tif 000010
【図１０】
0004030613.tif 000011
【図１１】
0004030613.tif 000012
【図１２】
0004030613.tif 000013
【図１３】
0004030613.tif 000014
【図１４】
0004030613.tif 000015
【図１５】
0004030613.tif 000016
【図１６】
0004030613.tif 000017
【図１７】
0004030613.tif 000018
【図１８】
0004030613.tif 000019
【図１９】
0004030613.tif 000020
【図２０】
0004030613.tif 000021
【図２１】
0004030613.tif 000022
【図２２】
0004030613.tif 000023
【図２３】
0004030613.tif 000024